【手続補正書】
【提出日】平成19年9月21日(2007.9.21)
【手続補正１】
【補正対象書類名】明細書
【補正対象項目名】特許請求の範囲
【補正方法】変更
【補正の内容】
【特許請求の範囲】
【請求項１】  電源電位が供給される電源端子と、
基準電位が供給される基準端子と、
第１ゲート、第１ソース、第１ドレイン、及び第１バックゲートを有し、前記第１ゲート、前記第１ソース、及び前記第１バックゲートが前記電源端子に接続された第１のｐチャネルＭＯＳトランジスタと、
第２ゲート、第２ソース、第２ドレイン、及び前記第１バックゲートを有し、前記第２ソースが前記第１のｐチャネルＭＯＳトランジスタの前記第１ドレインに接続され、前記第２ゲート、及び前記第２ドレインが前記基準端子に接続された第２のｐチャネルＭＯＳトランジスタと、
第３ゲート、第３ソース、第３ドレイン、及び第２バックゲートを有し、前記第３ゲート、前記第３ソース、及び前記第２バックゲートが前記基準端子に接続された第１のｎチャネルＭＯＳトランジスタと、
第４ゲート、第４ソース、第４ドレイン、及び前記第２バックゲートを有し、前記第４ソースが前記第１のｎチャネルＭＯＳトランジスタの前記第３ドレインに接続され、前記第４ゲート、及び前記第４ドレインが前記電源端子に接続された第２のｎチャネルＭＯＳトランジスタと、
を具備することを特徴とする保護回路。
【請求項２】  電源電位が供給される電源端子と、
信号が入出力される入出力端子と、
第１ゲート、第１ソース、第１ドレイン、及び第１バックゲートを有し、前記第１ゲート、前記第１ソース、及び前記第１バックゲートが前記電源端子に接続された第１のｐチャネルＭＯＳトランジスタと、
第２ゲート、第２ソース、第２ドレイン、及び前記第１バックゲートを有し、前記第２ソースが前記第１のｐチャネルＭＯＳトランジスタの前記第１ドレインに接続され、前記第２ゲート、及び前記第２ドレインが前記入出力端子に接続された第２のｐチャネルＭＯＳトランジスタと、
を具備することを特徴とする保護回路。
【請求項３】  基準電位が供給される基準端子と、
第３ゲート、第３ソース、第３ドレイン、及び第２バックゲートを有し、前記第３ゲート、前記第３ソース、前記第２バックゲートが前記基準端子に接続された第１のｎチャネルＭＯＳトランジスタと、
第４ゲート、第４ソース、第４ドレイン、及び前記第２バックゲートを有し、前記第４ソースが前記第１のｎチャネルＭＯＳトランジスタの前記第３ドレインに接続され、前記第４ゲート、及び前記第４ドレインが前記入出力端子に接続された第２のｎチャネルＭＯＳトランジスタと、
をさらに具備することを特徴とする請求項２に記載の保護回路。
【請求項４】  基準電位が供給される基準端子と、
信号が入出力される入出力端子と、
第１ゲート、第１ソース、第１ドレイン、及びバックゲートを有し、前記第１ゲート、前記第１ソース、前記バックゲートが前記基準端子に接続された第１のｎチャネルＭＯＳトランジスタと、
第２ゲート、第２ソース、第２ドレイン、及び前記バックゲートを有し、前記第２ソースが前記第１のｎチャネルＭＯＳトランジスタの前記第１ドレインに接続され、前記第２ゲート、及び前記第２ドレインが前記入出力端子に接続された第２のｎチャネルＭＯＳトランジスタと、
を具備することを特徴とする保護回路。
【請求項５】  電源電位が供給される電源端子と、
基準電位が供給される基準端子と、
信号が入出力される入出力端子と、
第１ゲート、第１ソース、第１ドレイン、及び第１バックゲートを有し、前記第１ゲート、前記第１ソース、及び前記第１バックゲートが前記電源端子に接続された第１のｐチャネルＭＯＳトランジスタと、
第２ゲート、第２ソース、第２ドレイン、及び前記第１バックゲートを有し、前記第２ソースが前記第１のｐチャネルＭＯＳトランジスタの前記第１ドレインに接続され、前記第２ゲートが前記基準端子に接続され、前記第２ドレインが前記入出力端子に接続された第２のｐチャネルＭＯＳトランジスタと、
第３ゲート、第３ソース、第３ドレイン、及び第２バックゲートを有し、前記第３ゲート、前記第３ソース、前記第２バックゲートが前記基準端子に接続された第１のｎチャネルＭＯＳトランジスタと、
第４ゲート、第４ソース、第４ドレイン、及び前記第２バックゲートを有し、前記第４ソースが前記第１のｎチャネルＭＯＳトランジスタの前記第３ドレインに接続され、前記第４ゲートが前記電源端子に接続され、前記第４ドレインが前記入出力端子に接続された第２のｎチャネルＭＯＳトランジスタと、
を具備することを特徴とする保護回路。
【手続補正２】
【補正対象書類名】明細書
【補正対象項目名】００１５
【補正方法】変更
【補正の内容】
【００１５】
【課題を解決するための手段】
この発明の第１実施態様の保護回路は、電源電位が供給される電源端子と、基準電位が供給される基準端子と、第１ゲート、第１ソース、第１ドレイン、及び第１バックゲートを有し、前記第１ゲート、前記第１ソース、及び前記第１バックゲートが前記電源端子に接続された第１のｐチャネルＭＯＳトランジスタと、第２ゲート、第２ソース、第２ドレイン、及び前記第１バックゲートを有し、前記第２ソースが前記第１のｐチャネルＭＯＳトランジスタの前記第１ドレインに接続され、前記第２ゲート、及び前記第２ドレインが前記基準端子に接続された第２のｐチャネルＭＯＳトランジスタと、第３ゲート、第３ソース、第３ドレイン、及び第２バックゲートを有し、前記第３ゲート、前記第３ソース、及び前記第２バックゲートが前記基準端子に接続された第１のｎチャネルＭＯＳトランジスタと、第４ゲート、第４ソース、第４ドレイン、及び前記第２バックゲートを有し、前記第４ソースが前記第１のｎチャネルＭＯＳトランジスタの前記第３ドレインに接続され、前記第４ゲート、及び前記第４ドレインが前記電源端子に接続された第２のｎチャネルＭＯＳトランジスタとを具備することを特徴とする。
【手続補正３】
【補正対象書類名】明細書
【補正対象項目名】００１６
【補正方法】変更
【補正の内容】
【００１６】
この発明の第２実施態様の保護回路は、電源電位が供給される電源端子と、信号が入出力される入出力端子と、第１ゲート、第１ソース、第１ドレイン、及び第１バックゲートを有し、前記第１ゲート、前記第１ソース、及び前記第１バックゲートが前記電源端子に接続された第１のｐチャネルＭＯＳトランジスタと、第２ゲート、第２ソース、第２ドレイン、及び前記第１バックゲートを有し、前記第２ソースが前記第１のｐチャネルＭＯＳトランジスタの前記第１ドレインに接続され、前記第２ゲート、及び前記第２ドレインが前記入出力端子に接続された第２のｐチャネルＭＯＳトランジスタとを具備することを特徴とする。
【手続補正４】
【補正対象書類名】明細書
【補正対象項目名】００１７
【補正方法】変更
【補正の内容】
【００１７】
この発明の第３実施態様の保護回路は、基準電位が供給される基準端子と、信号が入出力される入出力端子と、第１ゲート、第１ソース、第１ドレイン、及びバックゲートを有し、前記第１ゲート、前記第１ソース、前記バックゲートが前記基準端子に接続された第１のｎチャネルＭＯＳトランジスタと、第２ゲート、第２ソース、第２ドレイン、及び前記バックゲートを有し、前記第２ソースが前記第１のｎチャネルＭＯＳトランジスタの前記第１ドレインに接続され、前記第２ゲート、及び前記第２ドレインが前記入出力端子に接続された第２のｎチャネルＭＯＳトランジスタとを具備することを特徴とする。
【手続補正５】
【補正対象書類名】明細書
【補正対象項目名】００１８
【補正方法】変更
【補正の内容】
【００１８】
この発明の第４実施態様の保護回路は、電源電位が供給される電源端子と、基準電位が供給される基準端子と、信号が入出力される入出力端子と、第１ゲート、第１ソース、第１ドレイン、及び第１バックゲートを有し、前記第１ゲート、前記第１ソース、及び前記第１バックゲートが前記電源端子に接続された第１のｐチャネルＭＯＳトランジスタと、第２ゲート、第２ソース、第２ドレイン、及び前記第１バックゲートを有し、前記第２ソースが前記第１のｐチャネルＭＯＳトランジスタの前記第１ドレインに接続され、前記第２ゲートが前記基準端子に接続され、前記第２ドレインが前記入出力端子に接続された第２のｐチャネルＭＯＳトランジスタと、第３ゲート、第３ソース、第３ドレイン、及び第２バックゲートを有し、前記第３ゲート、前記第３ソース、前記第２バックゲートが前記基準端子に接続された第１のｎチャネルＭＯＳトランジスタと、第４ゲート、第４ソース、第４ドレイン、及び前記第２バックゲートを有し、前記第４ソースが前記第１のｎチャネルＭＯＳトランジスタの前記第３ドレインに接続され、前記第４ゲートが前記電源端子に接続され、前記第４ドレインが前記入出力端子に接続された第２のｎチャネルＭＯＳトランジスタとを具備することを特徴とする。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】